(57)【特許請求の範囲】
【請求項１】
パソコンまたは移動電話機等の端末装置に対し、ネットワークを介してメールの送受信サービスを行うホームページを有するサーバ装置のアクセス方式において、
前記サーバ装置は、
前記端末装置が前記ホームページにアクセスし、該ホームページ上から送信者が所定のボタンをクリックすることにより該サーバ装置のメーラーを起動する手段と、
該メーラーの起動によって送信者がメールを作成することを指示する手段と、
メール作成終了により、そのメールの適合性を判断する手段と、
前記判断する手段により適合と判断したとき、メールの文未に、抽選番号と該ホームページのアドレスの書き込みをし、さらに抽選会の案内を添付してメール受信者の宛て先メールアドレスにメールを送信する手段と、
メール受信者にメールを送信する際、前記抽選番号と宛て先メールアドレスをサーバ装置内のファイルに保存する手段と、
前記保存された抽選番号の中から無作為に当選番号を決定する処理を行う手段、
前記メール受信者が、送られたメールに書き込まれている当該ホームページのアドレスにアクセスして抽選番号の当選を確認した場合、前記メール受信者が入力したメールアドレスと前記ファイルに保存されている当選者の抽選番号および宛て先メールアドレスの照合を行うことにより、当選者本人確認を行う手段と、
を有することを特徴とする抽選番号付与メールによるホームページアクセス方式。
【請求項２】
前記端末装置からユーザ登録要求があったとき、前記サーバ装置はユーザ登録画面を表示し、ユーザのメールアドレス，ニックネーム等、必要事項の入力を指示し、
前記指示にしたがってユーザが入力したときユーザ登録ファイルに前記必要事項を格納し、前記端末装置内の送信メールサーバ設定（ＳＭＴＰ）を前記サーバ装置のメールサーバに書き換えるとともに前記登録要求のユーザにニックネームを付与し通知するように構成したことを特徴とする請求項１記載の抽選番号付与メールによるホームページアクセス方式。
【請求項３】
前記サーバ装置は、当該ホームページにメール送受信のためアクセスできるように設定したオリジナルメーラーを有し、
前記端末装置が前記オリジナルメーラーのダウンロード要求のアクセスをしたとき、メーラーダウンロード画面を表示し、必要事項の入力を指示し、必要事項の入力終了によってユーザ登録ファイルに必要事項の登録をし前記オリジナルメーラーをダウンロードする手段を、
有することを特徴とする請求項１記載の抽選番号付与メールによるホームページアクセス方式。
【発明の詳細な説明】
【０００１】
【発明の属する技術分野】
本発明は、ホームページへのアクセス数を増大させることを可能にした抽選番号付与メールによるホームページアクセス方式に関する。
【０００２】
【従来の技術】
インターネットユーザのホームページへのアクセス数を如何に増大させるかが、Ｅビジネスでは非常に重要な課題となっている。
従来のホームページにおいて、アクセス数を増加させる方法は、他の人気ホームページにリンクを張るか、または、ＴＶやダイレクトメールなど別のメディアで宣伝活動をすることにより、ホームページの認知度を高めることが中心であった。
【０００３】
【発明が解決しようとする課題】
しかしながら、人気サイトにバナー広告などのリンクを張ったり、別のメディアを使用したりする場合、広告料が概して高価であり、また、インターネットを使用しない人へも宣伝活動を行うため、効率的ではないという欠点があった。
本発明は、上述した間題に鑑みてなされたもので、その目的とするところは、きわめて安価に、ネットワークユーザのみを対象にしてホームページへのアクセス数を飛躍的に拡大させることができる抽選番号付与メールによるホームページアクセス方式を提供することにある。
【０００４】
【課題を解決するための手段】
前記目的を達成するために本発明による抽選番号付与メールによるホームページアクセス方式は、パソコンまたは移動電話機等の端末装置に対し、ネットワークを介してメールの送受信サービスを行うホームページを有するサーバ装置のアクセス方式において、前記サーバ装置は、前記端末装置が前記ホームページにアクセスし、該ホームページ上から送信者が所定のボタンをクリックすることにより該サーバ装置のメーラーを起動する手段と、該メーラーの起動によって送信者がメールを作成することを指示する手段と、メール作成終了により、そのメールの適合性を判断する手段と、前記判断する手段により適合と判断したとき、メールの文未に、抽選番号と該ホームページのアドレスの書き込みをし、さらに抽選会の案内を添付してメール受信者の宛て先メールアドレスにメールを送信する手段と、メール受信者にメールを送信する際、前記抽選番号と宛て先メールアドレスをサーバ装置内のファイルに保存する手段と、前記保存された抽選番号の中から無作為に当選番号を決定する処理を行う手段と、前記メール受信者が、送られたメールに書き込まれている当該ホームページのアドレスにアクセスして抽選番号の当選を確認した場合、前記メール受信者が入力したメールアドレスと前記ファイルに保存されている当選者の抽選番号および宛て先メールアドレスの照合を行うことにより、当選者本人確認を行う手段とを有している。
【０００５】
また、本発明は上記構成において、前記端末装置からユーザ登録要求があったとき、前記サーバ装置はユーザ登録画面を表示し、ユーザのメールアドレス，ニックネーム等、必要事項の入力を指示し、前記指示にしたがってユーザが入力したときユーザ登録ファイルに前記必要事項を格納し、前記端末装置内の送信メールサーバ設定（ＳＭＴＰ）を前記サーバ装置のメールサーバに書き換えるとともに前記登録要求のユーザにニックネームを付与し通知するように構成されている。
【０００６】
さらに本発明は上記構成において、前記サーバ装置は、当該ホームページにメール送受信のためアクセスできるように設定したオリジナルメーラーを有し、前記端末装置が前記オリジナルメーラーのダウンロード要求のアクセスをしたとき、メーラーダウンロード画面を表示し、必要事項の入力を指示し、必要事項の入力終了によってユーザ登録ファイルに必要事項の登録をし前記オリジナルメーラーをダウンロードする手段を有している。
【０００７】
【作用】
上記構成によれば、メール受信者は、メ一ルの文末に抽選番号とホームページのアドレスが表示されているので、抽選の結果を知るために該ホームベージヘアクセスし、アクセス量の増大を図ることができる。この繰り返しにより、このホ一ムページの存在を利用者が他の利用者へ知らせる結果となり、さらに該ホームページへのアクセス量が増大する。
【０００８】
【発明の実施の形態】
以下、図面を参照して本発明の実施形態を詳しく説明する。
図１は、本発明による抽選番号付与メールによるホームページアクセス方式の実施の形態を示す概略図である。
インターネット１１にパソコン（端末装置）１ａ〜１ｂがアクセス可能である。端末装置としてＰＨＳ，携帯電話機などの移動電話なども利用可能である。インターネット１１と端末装置間は電話回線によるダイヤルアップや専用回線などによって接続される。
【０００９】
抽選番号付与メールサーバ１０が提供するホームページは、インターネット１１に接続され、いずれの端末装置からもメールサーバとして利用可能になっている。
サーバ１０は、制御部であるＣＰＵ１１，ＲＯＭおよびＲＡＭを含むメモリ部１９，懸賞番号・宛先メールアドレスファイル２１およびユーザ登録ファイル２２を格納するハードディスク２３，サーバとして所定の機能を実現するためのボート２０ならびにモデム，ターミナルアダプタ機能を有する通信部１８を含んで構成されている。
【００１０】
ＣＰＵ１１は、制御プログラムによってホームページ表示部１２，メール送信部１３，当選者登録部１４，当選番号・ニックネーム表示部１５，ユーザ登録部１６およびメーラーダウンロード部１７の各機能を実現している。
ホームページ表示部１２は、端末装置から当該ホームページにアクセスがあると、例えば図６に示すような画面を表示する。
この例は、メインメニューの画面例である。画面には、このホームページを利用してメールの送受信を行うと、メールに抽選番号が付され抽選番号付きメールを受信した人はプレゼントが当たる旨の記述部分３０が表示されている。また、所定の期間毎の当選者の当選番号とニックネームの記述部分３１が表示されている。さらにメールボタンなどの各機能にリンクするボタン３２，ショッピングの案内にリンクするアクセスボタン３３，会員登録，オリジナルメーラーダウンロード，当選者登録画面へのアクセスボタン３４などが表示されている。
【００１１】
図２は、サーバのメール送信部，当選者登録部および当選番号ニックネーム表示部の各回路の動作を説明するためのフローチャートである。
ユーザが当該ホームページをアクセスし、メインメニュー画面の「メール送信ボタン３２ａ」（図６参照）をクリックしメーラーを起動すると、メール送信部１３は、端末装置からメール送信のためのアクセスがあったことを検知する（ステップ（以下「Ｓ」という）２Ａ０１）。そして、メーラー起動でメール作成を指示され、それによってユーザがメールを作成する（Ｓ２Ａ０２）。
メール作成が終了すると、そのメールの適合性を判断する（Ｓ２Ａ０３，Ｓ２Ａ０４）。適合性の内容は、送信されるメ一ルの送信者と宛先のメールアドレスが一致してないこと（自らにメールを送っていないこと）、宛先がメーリングリストでないことを判断する。
【００１２】
適合性がなければ、抽選番号を付与しないでメールを発送する（Ｓ２Ａ０５）。適合性があれば、メールの文末に抽選番号と当該ホームページアドレスを添付する（Ｓ２Ａ０６）。そして抽選番号と宛先メールアドレスを懸賞番号・アドレスファイル２１に保存し、抽選番号付きメールをインターネットを通じてメール受信者に送信する（Ｓ２Ａ０７，Ｓ２Ａ０８）。
【００１３】
当選番号の決定とニックネーム表示は以下のようにして行われる。
サーバ１０は、懸賞番号・宛先メールアドレスファイル２１に保管されている一定期間内に送信されたメールの抽選番号の中から、無作為に当選番号を決定する処理を行う（Ｓ２Ｃ０１，Ｓ２Ｃ０２）。そして当選番号だけの表示では、当選番号の確認作業がユーザにとって面倒になるためユーザ登録ファイル２２を上記Ｓ２Ｃ０１，Ｓ２Ｃ０２で決定した当選番号に対応するメールアドレスで検索し、当選者のニックネームを抽出する（Ｓ２Ｃ０３）。
以上の結果をメインメニュー画面上の「当選番号・ニックネーム表示」部分３１に表示する（Ｓ２Ｃ０４）。ここで、当選者がユーザー登録していない場合は、ニックネームを表示しない。
【００１４】
当選者の登録動作は当選者登録部１４によって行われる。メール受信者が図６のメインメニュー画面で、自らの当選を確認した場合、同メインメニュー画面の左下にあるアクセスボタン３４の「当選者登録画面へ」のボタン３４ａをクリックする（Ｓ２Ｂ０１）と、当選者登録画面を表示し、住所、氏名およびメールアドレスの入力が指示される（Ｓ２Ｂ０２）。この指示にしたがって入力が終了する（Ｓ２Ｂ０３）と、当選者登録部１４は当選者番号とメールアドレスの照合を行う（Ｓ２Ｂ０４）。照合の結果が不適合であれば、不適合である旨をメール送信する（Ｓ２Ｂ０５）。当選が確認された場合は、プレゼント発送指示をインターネット１１経由で行う（Ｓ２Ｂ０６）。
【００１５】
図３は、サーバのユーザ登録部およびメーラーダウンロード部の各回路の動作を説明するためのフローチャートである。
ユーザー登録する場合、図６のメインメニュー画面のアクセスボタン３４の「ユーザー登録」ボタン（Ａｗａｒｄ（仮称）の会員になる）３４ｂをクリックする（Ｓ３Ｄ０１）。ユーザ登録部１６は、ユーザ登録画面を開き、ユーザのメールアドレスと当選時の表示に使うニックネームを入力するよう指示する（Ｓ３Ｄ０２）。この指示にしたがって入力を終了する（Ｓ３Ｄ０３）と、ユーザ登録ファイル２２に保管する（Ｓ３Ｄ０４）。そして、ユーザの所有する端末装置の送信メールサーバの設定（ＳＭＴＰ）をサーバ１０内のメールサーバに書き換える（Ｓ３Ｄ０５）。
図７に送信メールサーバのＳＭＴＰ書換え例を示す。この例はＳＭＴＰ「ｍａｉｌ．○○○○．ｃｏ．ｊｐ」を「ｍａｉｌ．Ａｗａｒｄ．ｃｏｍ」に書き換えている。
この後、決定したニックネームをユーザに通知するメールを送信する（Ｓ３Ｄ０６）。
【００１６】
本システムに参加を希望する場合、オリジナルメーラーのダウンロードを行うことができる。図６のメインメニュー画面の「オリジナルメーラーダウンロード」ボタン３４ｃをクリックする（Ｓ３Ｅ０１）。メーラーダウンロード部１７は、メーラーダウンロード画面を表示し必要事項の入力を指示する（Ｓ３Ｅ０２）。この指示にしたって入力する（Ｓ３Ｅ０３）と、ユーザ登録ファイルに必要事項の登録を行い、メーラーのダウンロードを開始する（Ｓ３Ｅ０４，Ｓ３Ｅ０５）。ユーザの端末装置にオリジナルメーラーのダウンロードが行われる。
【００１７】
図４は、本発明におけるアクセス形態を説明するための図である。
ＡさんからＢさんへ，ＢさんからＣさんへ，ＣさんからＤさんへとメールを送信する場合である。Ａさんがメールを送信すると、Ｓ４０３でメールに抽選番号が自動的に挿入される。ＢさんはＡさんからメールを受けると、その抽選番号を確認するためにＡｗａｒｄへアクセスする。そして、Ｃさんへメールを送ると、Ｓ４０８でメールに同様に抽選番号が自動挿入される。ＣさんはＢさんからメールを受けると、その抽選番号を確認するためにＡｗａｒｄへアクセスする。そして、Ｄさんへメールを送ると、Ｓ４１３でメールに同様に抽選番号が自動挿入される。このようにして端末装置のＡｗａｒｄへのアクセス数を増大させることができる。
【００１８】
つぎに図５のフローチャートを用いてメール送信からメール受信者のプレゼントの受け取りまでについて説明する。
メール送信者がＡｗａｒｄのホームページにアクセスし、当該ホームページにある「メール送信ボタン」をクリックすると、メーラーが起動し、送信者はそのメーラーでメールを作成し送信する（Ｓ５０１〜Ｓ５０５）。
サーバは送信者が送信するメールに対して自動的にメール受信者のアドレスと抽選番号を登録し、メールの文末にメール番号を添付する（Ｓ５０６，Ｓ５０７）。また、抽選会の案内、ホームページアドレスも添付する。
図８にメールに添付される例を示してある。
メールの文末に記述部分３５が挿入され、賞品，抽選番号，ホームページアドレスが書き込まれている。
【００１９】
メール受信者は、メールを受信すると、上記説明を読んだ結果、当選を確認するためにＡｗａｒｄのホームページヘアクセスする（Ｓ５０８，Ｓ５０９）。ホームページ上で自らの抽選番号の当選を確認した場合、当選者登録ボタンをクリックし、自らの住所・氏名等の必要事項を入力する（Ｓ５１０，Ｓ５１１）。
サーバ１０は、当選者登録内容と、メール送信時にサーバ内に登録された受信者のメールアドレスと抽選番号を照合確認し、当選者本人であることを確認する（Ｓ５１２）。ホームページ管理者は、本人確認がされた場合、プレゼントを当選者に配送する（Ｓ５１３）。これにより当選者はプレゼントを受け取ることができる（Ｓ５１４）。
【００２０】
【発明の効果】
以上説明したように本発明によれば、当該ホームページを経由して送信されたメール受信者から次の受信者へと、当該ホームページの認知が広まり、自動的にホームページヘのアクセス数が飛躍的に増大するという効果がある。
【図面の簡単な説明】
【図１】本発明による抽選番号付与メールによるホームページアクセス方式の実施の形態を示す概略図である。
【図２】サーバのメール送信部，当選者登録部および当選番号ニックネーム表示部の各回路の動作を説明するためのフローチャートである。
【図３】サーバのユーザ登録部およびメーラーダウンロード部の各回路の動作を説明するためのフローチャートである。
【図４】本発明におけるアクセスの形態を説明するための図である。
【図５】メール送信からプレゼント受け取りまでの動作を説明するためのフローチャートである。
【図６】本発明におけるメインメニュー画面の構成を説明するための図である。
【図７】送信メールサーバのＳＭＴＰ書換え例を示す図である。
【図８】メールの送信例を示す図である。
【符号の説明】
１ａ〜１ｄ  端末装置（パソコン）
１１  ＣＰＵ
１２  ホームページ表示部
１３  メール送信部
１４  当選者登録部
１５  当選番号・ニックネーム表示部
１６  ユーザ登録部
１７  メーラーダウンロード部
１８  通信部
１９  メモリ部
２０  各種ボード
２１  懸賞番号・宛先メールアドレスファイル
２２  ユーザ登録ファイル
２３  ハードディスク
【図１】
0004012672.tif 000002
【図２】
0004012672.tif 000003
【図３】
0004012672.tif 000004
【図４】
0004012672.tif 000005
【図５】
0004012672.tif 000006
【図６】
0004012672.tif 000007
【図７】
0004012672.tif 000008
【図８】
0004012672.tif 000009